(57)【要約】 【課題】  基板上の配置の高密度化を図る。【解決手段】  基板用コネクタＣは、端子金具２０が挿入保持されるハウジング１０と、ハウジング１０に装着される一対の固定金具３０とを備えており、基板Ｋに対して幅方向に沿って２つ並列した状態で固定される。基板Ｋ上において各基板用コネクタＣＬ，ＣＲは、各ハウジング１０Ｌ，１０Ｒの前後位置がほぼ揃えられるとともに、隣り合う固定金具３０ＬＲ，３０ＲＬの半田付け部３２ＬＲ，３２ＲＬが前後に並ぶように配置されている。【選択図】  図３
2005190680.tif 000002
【特許請求の範囲】
【請求項１】
コネクタハウジングの側面に基板に対して固定可能な固定金具を装着してなる基板用コネクタを、その幅方向に沿って複数並列した状態で基板に固定したものであって、
前記各基板用コネクタは、前記各コネクタハウジングの前後位置がほぼ揃えられるとともに、隣り合う前記固定金具が前後に並ぶように配置されていることを特徴とする基板用コネクタの基板配列構造。
【請求項２】
前記コネクタハウジングの両側面に前記固定金具を一対装着されるとともに、両固定金具が互いに前後に異なる位置に配されていることを特徴とする請求項１記載の基板用コネクタの基板配列構造。
【発明の詳細な説明】
【技術分野】
【０００１】
本発明は、基板用コネクタの基板配列構造に関する。
【背景技術】
【０００２】
従来、基板用コネクタの一例として下記特許文献１に記載されたものが知られている。このものは、ハウジングの両側面に一対の基板固定部を設け、その基板固定部に対してねじなどを締め付けることでハウジングを基板に対して固定できるようになっている。
ところで、上記のような基板用コネクタを幅方向に沿って複数並列配置した状態で基板に固定する場合がある。このとき、基板上の配置スペースについて制約がある場合には、基板用コネクタを高密度に配置することが望まれる。
【０００３】
ここで、電線について配置の高密度化を図るようにしたものとして下記特許文献２に記載されたものが知られている。このものは、電線を１段目と２段目とに分けて各電線がオーバーラップするよう千鳥状に配置している。
この特許文献２の技術思想を引用文献１のものに適用すると、基板用コネクタを図５に示すように配置することになる。すなわち、基板１上において基板用コネクタ２を１段目と２段目とで前後に分けて互いにオーバーラップするよう千鳥状に配置すれば、幅方向について基板用コネクタ２の配置の高密度化を図ることができる。
【特許文献１】特開平６−２０３８９６号公報
【特許文献２】実開平５−１１３７３号公報
【発明の開示】
【発明が解決しようとする課題】
【０００４】
しかしながら、係る配置によれば、幅方向については配置の高密度化を図ることができるものの前後方向については配置スペースが大型化せざるを得ないという問題があり、さらには基板用コネクタ２における相手コネクタとの嵌合面が前後にばらつくことになるため、嵌合作業がし難くなるといった問題も生じることになってしまう。
本発明は上記のような事情に基づいて完成されたものであって、基板上の配置の高密度化を図ることを目的とする。
【課題を解決するための手段】
【０００５】
上記の目的を達成するための手段として、請求項１の発明は、コネクタハウジングの側面に基板に対して固定可能な固定金具を装着してなる基板用コネクタを、その幅方向に沿って複数並列した状態で基板に固定したものであって、前記各基板用コネクタは、前記各コネクタハウジングの前後位置がほぼ揃えられるとともに、隣り合う前記固定金具が前後に並ぶように配置されている構成としたところに特徴を有する。
【０００６】
請求項２の発明は、請求項１に記載のものにおいて、前記コネクタハウジングの両側面に前記固定金具を一対装着されるとともに、両固定金具が互いに前後に異なる位置に配されているところに特徴を有する。
【発明の効果】
【０００７】
＜請求項１の発明＞
隣り合う固定金具が前後に並ぶように各基板用コネクタが配置されているので、幅方向について基板上の配置の高密度化を図ることができる。また各コネクタハウジングの前後位置をほぼ揃えているので、前後方向についての基板上の配置スペースが大型化することがなく、また相手コネクタを嵌合する際の作業性についても良好となる。
【０００８】
＜請求項２の発明＞
両固定金具を互いに前後に異なる位置に配するようにしたから、同じ構造の基板用コネクタを並列配置することで、隣り合う固定金具同士を前後に並ぶよう配することができる。つまり、基板用コネクタが１種類で済むので低コスト化を図ることができる。
【発明を実施するための最良の形態】
【０００９】
本発明の一実施形態を図１ないし図４によって説明する。本実施形態では、基板Ｋに対して２つの基板用コネクタＣをその幅方向に沿って並列した状態で配置するものを示す。基板用コネクタＣは、複数本の端子金具２０と、各端子金具２０が装着されるコネクタハウジング１０（以下、単にハウジング１０という）と、ハウジング１０に装着される一対の固定金具３０とから構成されている。ハウジング１０は、固定金具３０により基板Ｋに対して固定されるとともに、図示しない相手コネクタと嵌合可能とされている。なお以下では、ハウジング１０における相手コネクタとの嵌合面側（図２の右側）を前方とし、また上下方向については図３を除いた各図を基準とする。
【００１０】
ハウジング１０は、図１及び図２に示すように、全体として横長に形成されるとともに、端子金具２０を保持可能な端子保持部１１と、端子保持部１１の周縁から前方へ突出するフード部１２とから構成されている。端子保持部１１には、後方から端子金具２０を挿入可能な端子挿入孔１３が複数設けられている。各端子挿入孔１３は、幅方向に沿って並列した状態で上下２段に配されており、詳しくは下段側に２２個、上段側に１８個ずつ配置されており、特に上段側については９個ずつ図１に示す左右に分けて配置されている。また上段側の各端子挿入孔１３と下段側の各端子挿入孔１３は、互いに幅方向にずれた位置（互い違いの位置）に配されている。
【００１１】
フード部１２は、前方へ開口する略角筒状に形成されており、前方からは相手コネクタが内嵌可能とされている。フード部１２の上部における幅方向略中央位置には、相手コネクタのロックアーム（図示せず）が係止することで嵌合状態に保持可能なロック部１４が下方（内方）へ突出して設けられている。フード部１２（ハウジング１０）の幅方向両側端部には、各固定金具３０を個別に装着可能な装着溝１５が一対設けられている。なお装着溝１５の構造については、固定金具３０と共に後に詳しく説明する。
【００１２】
端子金具２０は、端子保持部１１から後方へ突出した部分を所定位置から下方へ向けて屈曲させるとともにその下端部を再度後方へ向けて屈曲させた形状となっている。端子金具２０のうち、端子保持部１１の前面（嵌合面）から前方へ突出するとともにフード部１２により取り囲まれる部分が、相手コネクタに配された相手端子（図示せず）と導通接続可能なコネクタ側接続部２１となっている。一方、端子金具２０の後端部が基板Ｋにプリントされた導電路（図示せず）に対して半田付けにより導通接続される基板側接続部２２とされている。ハウジング１０に対して装着した状態では、上段の端子金具２０と下段の端子金具２０は、幅方向について互いにずれた位置に配されるとともに、上下各段の端子金具２０における基板側接続部２２が前後方向についてほぼ同じ位置に配される。
【００１３】
固定金具３０及び装着溝１５について詳細に説明する。固定金具３０は、図１及び図４に示すように、ハウジング１０とは別体の金属板からなり、金属板を所定形状に打ち抜くとともに曲げ加工などを施すことで成形されている。固定金具３０は、上下方向に沿う略平板状をなす本体部３１と、本体部３１の下端部３５から幅方向に沿って側方へ突出する半田付け部３２とから構成され、全体が正面から見て略Ｌ字型に形成されている（図１）。一方、この固定金具３０が装着される装着溝１５は、本体部３１がその板面方向に沿って挿入可能とされる本体部収容部１６と、半田付け部３２がその板面方向と直交する方向に沿って挿入可能とされる半田付け部収容部１７とから構成されている。
【００１４】
固定金具３０のうち本体部３１は、図４に示すように、上部３３（大幅部）、中部３４（中幅部）、下端部３５（小幅部）の順で幅が狭くなるよう３段階の幅寸法を有する段付き状に形成され、半田付け部３２は、連結される下端部３５とほぼ同じ幅寸法に形成されている。また半田付け部３２の前後方向の長さ寸法は、ハウジング１０よりも小さく設定されている。これに対し、装着溝１５のうち本体部収容部１６は、本体部３１の上部３３とほぼ同じかそれよりも大きい幅寸法の幅広部１８と、本体部３１の中部３４とほぼ同じかそれよりも大きい幅寸法の幅狭部１９とを上下に繋げた構成とされ、半田付け部収容部１７は、本体部３１の下端部３５及び半田付け部３２とほぼ同じ幅寸法かそれよりも大きい幅寸法に形成されている。
【００１５】
固定金具３０を装着溝１５内に装着した状態では、半田付け部３２は、図３に示すように、ハウジング１０の側面よりも外方へ突出して配されるようになっている。この装着状態では、図４に示すように、本体部３１の下端部３５と本体部収容部１６の幅狭部１９との間に所定の隙間が空けられるようになっており、この隙間は、側方外部へ開口するとともに半田付け作業時に半田が流入するのを許容する半田流入空間Ｓとなっている。なお半田付け部収容部１７の溝縁の下端部には、半田が流入し易いよう切り欠き１７ａが形成されている。本体部３１の中部３４における両側縁からは、一対の抜け止め部３６が側方に突出して形成されており、この抜け止め部３６は、装着に伴って本体部収容部１６の幅狭部１９の溝縁に対して食い込むことで固定金具３０を装着溝１５から抜け止め状態に保持可能とされている。
【００１６】
さて、ハウジング１０における左右の装着溝１５は、図３に示すように、互いの配設位置が前後にずれた位置に設定されており、従ってそこに装着される固定金具３０についても互いに前後にずれた配置となっている。なお以下では固定金具３０や装着溝１５について図３において左右を区別する場合には、図３の左側のものの符号に添え字Ｌを、同図右側のものの符号に添え字Ｒを付し、区別せずに総称する場合には符号に添え字を付さないものとする。詳しくは、図３の右側の装着溝１５Ｒ及び固定金具３０Ｒは、ハウジング１０における長さ方向中央位置よりも後寄りの位置にずれて配されるのに対し、同図左側の装着溝１５Ｌ及び固定金具３０Ｌは、ハウジング１０における長さ方向中央位置よりも前寄りの位置にずれて配されている。さらに詳しくは、左右両固定金具３０Ｌ，３０Ｒにおける本体部３１Ｌ，３１Ｒは、一部が前後方向について互いに重なる配置とされるものの、半田付け部３２Ｌ，３２Ｒについては、互いに完全に前後にずれた配置となっている。
【００１７】
上記のような構造の基板用コネクタＣは、各ハウジング１０における互いの前後両端位置をほぼ同じに揃えた状態で、且つ幅方向に沿って２つ並列配置した状態で基板Ｋに固定されるようになっている。なお以下では図３において左右の基板用コネクタＣを区別する場合には、同図左側のものの各符号に添え字Ｌを、同図右側のものの各符号に添え字Ｒを付し、区別せずに総称する場合には、各符号に添え字を付さないものとする。詳しくは、並列配置した状態では、図３の左側の基板用コネクタＣＬにおける右側の固定金具３０ＬＲと、同図右側の基板用コネクタＣＲにおける左側の固定金具３０ＲＬ、すなわち両基板用コネクタＣＬ，ＣＲにおける互いに対向する側面に装着されるとともに互いに隣り合う固定金具３０ＬＲ，３０ＲＬの半田付け部３２ＬＲ，３２ＲＬは、前後に対向した状態で並んで配されている。この状態での基板Ｋにおける両基板用コネクタＣＬ，ＣＲの幅方向の配設スペースＷは、各基板用コネクタＣＬ，ＣＲの幅寸法Ｗ１を足し合わせた大きさから、両半田付け部３２ＬＲ，３２ＲＬの突出先端部間の距離Ｗ２、すなわち両半田付け部３２ＬＲ，３２ＲＬがオーバーラップした分を差し引いた大きさとほぼ等しくなっている。また基板Ｋにおける両基板用コネクタＣＬ，ＣＲの長さ方向の配設スペースは、両ハウジング１０Ｌ，１０Ｒの前後両端位置がほぼ同じに揃えられているので、各基板用コネクタＣＬ，ＣＲの長さ寸法Ｌとほぼ等しくなっている。
【００１８】
本実施形態は以上のような構造であり、続いてその作用を説明する。まず基板用コネクタＣの組み付け作業を行う。ハウジング１０の各端子挿入孔１３内に各端子金具２０を後方から挿入して保持させる一方、一対の固定金具３０をそれぞれ装着溝１５内に装着する。固定金具３０の本体部３１を装着溝１５の本体部収容部１６内に、半田付け部３２を半田付け部収容部１７内に上方から差し込み、本体部３１の上部３３における下端側の段部３３ａが、本体部収容部１６の幅広部１８の下端側の段部１８ａに対して突き当ったところで、それ以上の差し込みが規制され、固定金具３０の下面がハウジング１０の下面と略面一となる位置に位置決めされる。この状態では、抜け止め部３６が幅狭部１９の溝縁に対して食い込むことでその上方への抜けが規制可能とされている（図４参照）。なお固定金具３０の装着作業を先に行ってから端子金具２０の装着作業を行うようにしても構わない。
【００１９】
続いて、組み付けた基板用コネクタＣを基板Ｋに対して固定する作業を行う。ハウジング１０を基板Ｋ上に載置するとともに両固定金具３０の半田付け部３２を基板Ｋにおける固定予定位置に配置したら、半田付け部３２の周縁部に溶融した半田を付着させる。このとき、溶融させた半田の量が多かった場合でも、その半田が本体部３１の下端部３５と本体部収容部１６の幅狭部１９との間に確保された半田流入空間Ｓ内に流されるようになっているので、半田が基板Ｋ上に流れ出すのが防がれるようになっている。付着した半田が固化することで、基板固定部３０が基板Ｋに対して固定される。引き続いて、各端子金具２０の基板側接続部２２を基板Ｋにおける対応する導電路に対して半田付けする作業を連続して行うようにする。なお端子金具２０の半田付け作業を先に行ってから固定金具３０の基板Ｋへの固定作業を行うようにしても構わない。
【００２０】
上記のようにして２つの基板用コネクタＣＬ，ＣＲをそれぞれ基板Ｋに対して固定すると、図３及び図４に示すように、両ハウジング１０Ｌ，１０Ｒの前後位置がほぼ同じになるよう揃えられるとともに、互いに隣り合う固定金具３０ＬＲ，３０ＲＬの半田付け部３２ＬＲ，３２ＲＬが前後に並んだ配置となる。すなわち、両基板用コネクタＣＬ，ＣＲにおける相手コネクタとの嵌合面をほぼ同じ位置に揃えることができるとともに、両ハウジング１０Ｌ，１０Ｒにおける互いに対向する両側面間に空けられるスペースに、隣り合う２つの固定金具３０ＬＲ，３０ＲＬの半田付け部３２ＬＲ，３２ＲＬを前後にずれて互いに対向した状態で配することができる。その後、各基板用コネクタＣＬ，ＣＲに対して相手コネクタをそれぞれ嵌合接続する作業を行う。
【００２１】
以上説明したように本実施形態によれば、隣り合う固定金具３０ＬＲ，３０ＲＬの半田付け部３２ＬＲ，３２ＲＬが前後に並ぶように基板用コネクタＣＬ，ＣＲが配されているから、両半田付け部３２ＬＲ，３２ＲＬがオーバーラップする分だけ幅方向について基板Ｋ上の配置の高密度化を図ることができる。また各ハウジング１０Ｌ，１０Ｒの前後位置がほぼ揃えられているので、前後方向についての基板Ｋ上の配置スペースが大型化することもなく、また相手コネクタを嵌合する際の作業性についても良好となる。
【００２２】
しかも、ハウジング１０の両側面に固定金具３０Ｌ，３０Ｒを一対装着するようにし、両固定金具３０Ｌ，３０Ｒが互いに前後に異なる配置となっているから、同じ構造の基板用コネクタＣを並列配置することで、隣り合う固定金具３０ＬＲ，３０ＲＬ同士を前後に並ぶよう配することができる。つまり、基板用コネクタＣが１種類で済むので低コスト化を図ることができる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）隣り合う両固定金具の半田付け部が前後に対向せず、幅方向にずれた配置としたものも本発明に含まれる。
【００２４】
（２）各基板用コネクタにおける両固定金具の配置について、上記実施形態とは逆、つまり図３に示す右側の固定金具を前寄りに配し、左側の固定金具を後寄りに配するようにしてもよい。
（３）基板用コネクタを３つ以上幅方向に沿って並列配置したものも本発明に含まれる。
（４）互いに構造が異なる２種類以上の基板用コネクタを用意して、それら基板用コネクタを幅方向に沿って複数並列配置したものも本発明に含まれる。
【図面の簡単な説明】
【００２５】
【図１】本発明の一実施形態に係る基板用コネクタの基板配列構造を示す正面図
【図２】図１のＸ−Ｘ線断面図
【図３】基板用コネクタの基板配列構造を示す平面図
【図４】図３のＹ−Ｙ線断面図
【図５】従来例の説明図
【符号の説明】
【００２６】
１０（１０Ｌ，１０Ｒ）…ハウジング（コネクタハウジング）
３０（３０Ｌ，３０Ｒ，３０ＬＲ，３０ＲＬ）…固定金具
Ｃ（ＣＬ，ＣＲ）…基板用コネクタ
Ｋ…基板
【図１】
2005190680.tif 000003
【図２】
2005190680.tif 000004
【図３】
2005190680.tif 000005
【図４】
2005190680.tif 000006
【図５】
2005190680.tif 000007